(57)【要約】【課題】おむつ用センサーとその製造方法及び該センサーを使用するおむつを提供する。【解決手段】おむつ用センサーは、検出電極及び親水性の第一基体２を含む。検出電極は、第一基体２の第一表面２１に設置されて直線状である第一金属帯１１と、第一金属帯１１の両側に位置し、それに平行する第二、三金属帯１２、１３と、第一〜三金属帯１１、１２、１３に対応して設置される第一〜三導電接続部３１、３２、３３と、を含む。第二金属帯１２或いは第三金属帯１３の中部には、該金属帯を二段に分割する第一通孔４が形成される。おむつ用センサーの製造方法は、第一基体の第一表面に金属箔を設置する工程、ホブ打ち抜きプロセスにより金属箔の一部を除去し、三つの金属帯を形成する工程、第一通孔を形成する工程、を含む。本センサーは、排便したことを検出できるだけでなく、大便及び小便を区分できる。この方法はプロセスが簡単で、コストが低い。【選択図】図１
2018512987.tif 000002
【特許請求の範囲】
【請求項１】
検出電極（１）及び親水性の第一基体（２）を含むおむつ用センサーにおいて、
前記検出電極は、
前記第一基体の第一表面（２１）に設置され、直線状である第一金属帯（１１）と、
前記第一基体の前記第一表面（２１）に設置され、前記第一金属帯の一方の側に位置し、前記第一金属帯と平行に隔離される第二金属帯（１２）と、
前記第一基体の前記第一表面（２１）に設置され、前記第一金属帯の他方の側に位置し、前記第一金属帯と平行に隔離される第三金属帯（１３）と、を含み、
前記第一金属帯、前記第二金属帯、前記第三金属帯にそれぞれ対応する第一導電接続部（３１）、第二導電接続部（３２）、第三導電接続部（３３）が設置され、前記第二金属帯の中部或いは第三金属帯の中部に第一通孔（４）が形成され、前記第一通孔により該金属帯を二段（１２１、１２２）に分割することで、着用者の大便後、小便後及び大便前という三種状態に対応し、前記導電接続部間に異なる電気特性が発生することを特徴とするおむつ用センサー。
【請求項２】
前記第一導電接続部（３１）、第二導電接続部（３２）及び前記第三導電接続部（３３）は、前記第一基体（２）の一方の端部（２２）の近傍において、前記端部（２２）と前記第一導電接続部（３１）との間の前記第一金属帯に第二通孔（５）が形成され、前記第二通孔により前記第一金属帯を二段に分割することを特徴とする請求項１に記載のおむつ用センサー。
【請求項３】
前記第一基体の前記第一表面に設置される第二基体（６）を更に含み、
前記第一金属帯、前記第二金属帯及び前記第三金属帯は、それぞれ前記第一基体と前記第二基体との間に挟持されることを特徴とする請求項１に記載のおむつ用センサー。
【請求項４】
前記第一基体又は前記第二基体の少なくとも一方は布の基体であることを特徴とする請求項３に記載のおむつ用センサー。
【請求項５】
前記第一金属帯（１１）、前記第二金属帯（１２）及び前記第三金属帯（１３）はアルミ箔片帯であることを特徴とする請求項１〜３の何れか一項に記載のおむつ用センサー。
【請求項６】
第一基体の第一表面に金属箔を設置する工程、
ホブ打ち抜きプロセスにより前記金属箔の一部を除去し、前記第一基体の前記第一表面に相互に平行に隔離される三つの金属帯が形成される工程、及び、
中間以外の辺縁に配置される一方の前記金属帯の中部に開口する第一通孔を形成することで、該金属帯を二段に分割する工程、
を含むおむつ用センサー製造方法。
【請求項７】
前記おむつ用センサー製造方法において、中間の前記金属帯の一方の端部近傍に開口する第二通孔を形成することで、該金属帯を二段に分割する工程を更に含むことを特徴とする請求項６に記載のおむつ用センサー製造方法。
【請求項８】
前記第一基体の第一表面に金属箔を設置する工程は、金属箔の両端を前記第一基体の前記第一表面に固着する工程を含むことを特徴とする請求項６に記載のおむつ用センサー製造方法。
【請求項９】
更に請求項１〜５の何れか一項に記載のおむつ用センサーを含み、該おむつ用センサーはおむつ本体の内部或いは表面に固定され、
前記第一金属帯、前記第二金属帯及び第三金属帯は着用者の股間から貫通し、
且つ前記第一通孔は着用者の肛門と陰部との間に位置するおむつ。
【請求項１０】
更に通信触発装置を含み、該通信触発装置は、
前記第一導電接続部、前記第二導電接続部及び前記第三導電接続部間の電気特性を採集するための採集ユニットと、
採集された電気特性に基づいて着用者が排便したことを判断し、且つ大便又は小便を区分するための処理ユニットと、
周期的に所定の信号を発生するための信号発生ユニットと、
前記処理ユニットによる判断結果及び前記信号発生ユニットによる信号を監視測定端末に送信するための中短距離無線通信ユニットと、
を含むことを特徴とする請求項９に記載のおむつ。
【発明の詳細な説明】
【技術分野】
【０００１】
本発明はインテリジェントおむつに関し、より具体的には、おむつ用のセンサーとその製造方法、及びこのようなセンサーを使用するおむつに関する。
【背景技術】
【０００２】
本発明に記載されるおむつは様々な紙おむつ及び紙おむつズボンである。紙おむつ及び紙おむつズボンは、使用に便利な特徴を備えるので、既にますます多く使用されており、幼児及び老人の常用日用品である。しかし、従来のおむつは、外表面から着用者の排便が済んだことを判断できず、看護者が常に観察する必要があり、且つ適時におむつを取替できず、着用者の不適な状況を引き起こす。そこで、おむつにセンサーを設置することにより、着用者が排便した後、看護者に通知するように警報信号を発するため、前記問題を克服できる。
【０００３】
従来、センサー付きのおむつとして、特許文献１のものがある。
【先行技術文献】
【特許文献】
【０００４】
【特許文献１】特開２００５−１９９０２１号公報
【発明の概要】
【発明が解決しようとする課題】
【０００５】
おむつ用センサーは、親水性の基体（基板）に検出電極が二つ設置され、排便後、親水性基体が湿り、両検出電極間の電気特性が変化するため、排便検出の目的を達成する。検出電極は、通常、印刷プロセス或いは編成プロセスを利用して基体に設置される。例えば、基体に導電銀或いは導電炭素を印刷することで検出電極を形成し、或いは金属線を布の基体に編成することで検出電極を形成する。しかし、これらの加工プロセスは複雑で、コストが高い。この外、従来のおむつ用センサーは着用者の排便したことを検出できるが、大便と小便とを区分できない。
【０００６】
本発明の目的は、従来のおむつセンサーに存在する前記技術欠陥以を解決するように、おむつ用センサー及び製造方法を提供することにある。
本発明の目的は更に該おむつセンサーを使用するおむつを提供することにある。
【課題を解決するための手段】
【０００７】
本発明の具体的な技術方案は、次の通りである。
おむつ用センサーは、検出電極及び親水性の第一基体（基板）を含む。その中で、前記検出電極は、
第一基体の第一表面に設置され、直線状である第一金属帯と、
第一基体の第一表面に設置され、第一金属帯の一方の側に位置し、第一金属帯と平行に隔離される第二金属帯と、
第一基体の第一表面に設置され、第一金属帯の他方の側に位置し、第一金属帯と平行に隔離される第三金属帯と、を含む。
前記第一金属帯、第二金属帯、第三金属帯にそれぞれ対応する第一導電接続部、第二導電接続部、第三導電接続部が設置される。前記第二金属帯或いは第三金属帯の中部に第一通孔が形成され、第一通孔により該金属帯を二段に分割することで、着用者の大便後、小便後及び大便前三種状態に対応し、前記導電接続部間に異なる電気特性が発生する。
【０００８】
前記おむつ用センサーにおいて、好ましくは、前記第一〜第三導電接続部は、第一基体の一方の端部の近傍において、前記端部と第一導電接続部との間の第一金属帯に第二通孔が形成される。第二通孔により第一金属帯を二段に分割する。
【０００９】
前記おむつ用センサーにおいて、好ましくは、更に第一基体の第一表面に設置される第二基体を含み、第一〜第三金属帯は、それぞれ第一、第二基体間に挟持される。
【００１０】
前記おむつ用センサーにおいて、好ましくは、前記第一基体又は第二基体の少なくとも一方は布の基体である。
【００１１】
前記おむつ用センサーにおいて、好ましくは、前記第一〜第三金属帯はアルミ箔片帯である。
【００１２】
おむつ用センサー製造方法は、
第一基体の第一表面に金属箔を設置する工程、
ホブ打ち抜きプロセスにより前記金属箔の一部を除去し、第一基体の第一表面に相互に平行に隔離される三つの金属帯が形成される工程、及び、
中間以外の辺縁に配置される一方の金属帯の中部に開口する第一通孔を形成することで、該金属帯を二段に分割する工程、を含む。
【００１３】
前記おむつ用センサー製造方法において、好ましくは、中間金属帯の一方の端部近傍に開口する第二通孔を形成することで、該金属帯を二段に分割する工程を更に含む。
【００１４】
前記おむつ用センサー製造方法において、好ましくは、第一基体の第一表面に金属箔を設置する工程は、金属箔の両端を第一基体の第一表面に固着する工程を含む。
【００１５】
本発明はおむつ本体を含むおむつを提供する。該おむつは更に上記のおむつ用センサーを含み、該おむつ用センサーはおむつ本体の内部或いは表面に固定され、
前記第一〜第三金属帯は着用者の股間から貫通し、更に、
前記第一通孔は着用者の肛門と陰部との間に位置する。
【００１６】
前記おむつにおいて、好ましくは、該おむつは更に、通信触発装置を含む。
該通信触発装置は、
前記第一〜第三導電接続部間の電気特性を採集するための採集ユニットと、
採集された電気特性に基づいて着用者が排便したことを判断し、且つ大便及び小便を区分するための処理ユニットと、
周期的に所定の信号を発生するための信号発生ユニットと、
処理ユニットによる判断結果及び信号発生ユニットによる信号を監視測定端末に送信するための中短距離無線通信ユニットと、を含む。
【００１７】
本発明は以下の長所を備える。
１、適時に着用者の排便を発見できるだけでなく、且つ大便及び小便を区分できる。
２、センサーが別体部品であり、貼付け、嵌合等の組立方式により従来の紙おむつ或いは紙おむつズボンに取り付けることができ、使用を便利にする。
３、ホブ打ち抜きプロセスを採用して基体に検出電極を成型するので、プロセスが簡単で、コストが低い。
４、中短距離無線通信ユニットを利用して、通信触発装置と監視測定端末との間の通信を実現する。通信費用を要しないだけでなく、且つ前記信号発生ユニットを結合することで、着用者が監護範囲を超過するかを監視測定できる。
【図面の簡単な説明】
【００１８】
【図１】本発明によるおむつ用センサーの一実施例の構造図である。
【図２】図１のＡ−Ａ線断面図である。
【発明を実施するための形態】
【００１９】
以下、図面及び実施例を合わせて本発明についてより一層説明する。
図１、２にはおむつ用センサーの一実施例の構造を模式的に示し、その中で、明瞭に内部構造を表示するために、図１には第二基体を示しない。図１、２に示すように、本発明によるおむつ用センサーは検出電極１及び親水性の第一基体２を含む。
【００２０】
検出電極１は、第一金属帯１１、第二金属帯１２、第三金属帯１３を含む。第一金属帯１１は第一基体２の第一表面２１に設置され、直線状である。第二金属帯１２は第一基体２の第一表面２１に設置され、且つ第一金属帯１１の一方の側に位置し、第一金属帯１１と平行に隔離する（即ち、両金属帯同士が一定の距離を隔てて配置される）。第三金属帯１３は第一基体２の第一表面２１に設置され、且つ第一金属帯１１の他方の側に位置し、第一金属帯１１と平行に隔離する。
【００２１】
第一、第二、第三金属帯１１、１２、１３に対応して第一、第二、第三導電接続部３１、３２、３３が設置される。第二金属帯１２の中部に第一通孔４が設置され、第一通孔４により第二金属帯１２を第一段１２１及び及び第二段１２２に分割する。第一段１２１のみが第二導電接続部３２と電気接続するため、第一段１２１が第二金属帯１２の有効部分であり、第二段１２２が実質的に無効部分である。
【００２２】
使用の場合には、第一〜第三金属帯１１、１２、１３が着用者の股間から貫通し、且つ第一通孔４が着用者の肛門及び陰部との間に位置する。例えば、図１にある第一通孔４以上の部分（以下、基体上部と略称）を着用者の陰部に設置でき、第一通孔４以下の部分（以下、基体下部と略称）が着用者の肛門に設置される。このように、着用者が小便した後、基体上部が湿るため、第一〜第三金属帯１１、１２、１３同士間の電気抵抗が未排便時に対して小さくなる。着用者が大便した後、基体下部が変化を発生し、第一通孔４の遮断作用のため、この時に第一、三金属帯１１、１３間の電気抵抗が未排便時に対して小さくなる。第二金属帯１２（有効部分）と他の金属帯との間の電気抵抗は未排便時に対して変化しない。このため、通過物対三つの導電接続部３１、３２、３３との間の電気特性（電気抵抗或いは電流）を識別し、即ち、着用者が排便したかの信号を取得でき、且つ大便と小便とを区分できる。
【００２３】
第一通孔４が第三金属帯１３中部に設置されることにより、同様に前記機能も実現できると理解されている。
【００２４】
図１を参照する。本実施例では、第一〜第三導電接続部３１、３２、３３の第一基体２の端部２２（上端）の近傍において、センサーが他の部品と電気接続する時に短路の発生を回避するように、前記一端部２２と第一導電接続部３１との間の第一金属帯に第二通孔５を形成し、第二通孔５により第一金属帯１１を二段に分割する。
【００２５】
より好ましくは、前記おむつ用センサーが更に第二基体６を含み、第二基体６が第一基体２の第一表面に設置され、第一〜第三金属帯１１、１２、１３がそれぞれ第一、第二基体２、６間に挟持される。
第一基体２は布の基体であることが好ましい。例えば紙の基体等の他の親水性基体を採用しても良い。第二基体６は布の基体であることが好ましく、例えば紙の基体等の他の基体を採用しても良い。
第一〜第三金属帯１１、１２、１３はアルミ箔片帯であることが好ましい。
【００２６】
このおむつ用センサーでは、検出電極を構成するための三つの金属帯同士が相互に平行するので、印刷、編成等の複雑な、高コストの成型プロセスを採用することなく、ホブ打ち抜きプロセスにより成型できる。以下、おむつ用センサーの製造プロセスについてより詳しく説明する。
【００２７】
おむつ用センサー製造方法は、
第一基体の第一表面に金属箔を設置する工程、
ホブ打ち抜きプロセスにより金属箔の一部を除去し、第一基体の第一表面に相互に平行に隔離される三つの金属帯（即ち、第一〜第三金属帯）が形成される工程、及び、
中間以外の辺縁に配置される一方の金属帯（即ち、第二金属帯或いは第三金属帯）の中部に開口する第一通孔を形成することで、該金属帯を二段に分割する工程、を含む。
【００２８】
一実施例では、中間の金属帯の一方の端部近傍に開口する第二通孔を形成することで、該金属帯を二段に分割する工程を更に含む。
好ましくは、接着方式により金属箔が第一基体の第一表面に設置される。例えば、金属箔は、両端部に接着剤が塗布され第一基体の第一表面に固定される。
【００２９】
このおむつ用センサーは、貼付、嵌合等の組立方法により従来の紙おむつ或いは紙おむつズボンに便利に取り付けられ、インテリジェントおむつを構成できる。
具体的に、本発明によるおむつは、おむつ本体及びおむつ用センサーを含む。該おむつ用センサーはおむつ本体内部或いは表面に固定され、第一〜第三金属帯が着用者の股間を貫通し、且つ第一通孔が着用者の肛門と陰部との間に位置する。
【００３０】
一実施例では、おむつは更に、通信触発装置を含み、該通信触発装置がおむつに着脱可能に取付される。
該通信触発装置は、
第一〜第三導電接続部間の電気特性を採集するための採集ユニットと、
採集された電気特性に基づいて着用者が排便したことを判断し、且つ大便及び小便を区分するための処理ユニットと、
周期的に設定の信号を発生するための信号発生ユニットと、
処理ユニットによる判断結果及び信号発生ユニットによる信号を監視測定端末に送信するための中短距離無線通信ユニットと、を含む。
【００３１】
ここに記載された中短距離無線通信ユニットは、ブルートゥース（登録商標）モジュール、或いはＷＩＦＩモジュール、或いはＮＦＣ（Near Field Communication、近接通信）モジュール、或いはＲＦＩＤ（Radio Frequency Identification、無線周波数識別）モジュールとしても良く、それらのうちの二種或いは多種のモジュールとしても良い。ここに記載された監視測定端末は、スマートフォン、パネルコンピュータ等としても良い。通信触発装置は再使用でき、センサーは１回限りの用品とする。
【００３２】
前記信号発生ユニットは、中短距離無線通信ユニットと共に、周期的に監視測定端末に設定された信号を送信し、着用者が監護区域を逸脱すると適時に警報信号を発信できる。具体的に、着用者が中短距離無線通信モジュールの制御範囲外に移動した場合、監視測定端末が該設定された信号を受信できないため、監護者に対し該おむつ着用者が監護区域を脱したことを通知するように警報信号を発信する。
【００３３】
具体的な実施例を結合して本発明について詳細に説明したが、これらの具体的な説明は本発明の保護範囲の制限を理解すべきでなく、当業者にとって本発明の説明により更に他の修飾或いは同等の取替等を作成できる。本発明の保護範囲は特許請求の範囲に準じる。
【符号の説明】
【００３４】
１  検出電極
２  第一基体
４  第一通孔
５  第二通孔
６  第二基体
１１  第一金属帯
１２  第二金属帯
１３  第三金属帯
１２１、１２２
２１  第一表面
２２  端部
３１  第一導電接続部
３２  第二導電接続部
３３  第三導電接続部
【図１】
2018512987.tif 000003
【図２】
2018512987.tif 000004
【国際調査報告】
2018512987.tif 000005
2018512987.tif 000006
2018512987.tif 000007
2018512987.tif 000008
2018512987.tif 000009